(57)【特許請求の範囲】
【請求項１】
画像読み取り装置であって、
読み取り位置において原稿又は基準部材のいずれかを読み取る読み取り手段と、
前記読み取り位置に向けて光を照射する複数の発光素子が１番目からＮ番目（Ｎは２以上の自然数）までの複数のブロックに分かれて配置された第１のアレイ光源と、
前記第１のアレイ光源に対向して設けられ、かつ、前記読み取り位置に向けて光を照射する複数の発光素子が１番目からＮ番目までの複数のブロックに分かれて配置された第２のアレイ光源であって、該第２のアレイ光源における該複数のブロックにおけるブロック間の境界が前記第１のアレイ光源における前記複数のブロックにおけるブロック間の境界に対してずれて配置された、第２のアレイ光源と、
前記読み取り手段による前記基準部材についての複数の測定点のうち前記第１のアレイ光源に形成されたｉ番目（ｉは１からＮまでの自然数）のブロックに対応した測定点での前記読み取り手段による前記基準部材の読み取り結果が所定条件を満たすように該ｉ番目のブロックの光量を調整し、次に前記第１のアレイ光源に形成された該ｉ番目のブロックの光量が調整された後に該ｉ番目のブロックに対向して前記第２のアレイ光源に形成されているｊ番目（ｊは１からＮまでの自然数）のブロックに対応した測定点での前記読み取り手段による前記基準部材の読み取り結果が前記所定条件を満たすように該ｊ番目のブロックの光量を調整する光量調整を、前記第１のアレイ光源の前記複数のブロックと前記第２のアレイ光源の前記複数のブロックとにおいて未調整のブロックが無くなるまで、ｉとｊを１つずつ交互に変化させながら繰り返し実行する光量調整手段と
を含み、
前記第１のアレイ光源と前記第２のアレイ光源とはそれぞれ長さ方向において一端から他端まである同一の部品であり、前記第１のアレイ光源の前記一端と前記第２のアレイ光源の前記他端とが対向して前記画像読み取り装置に取り付けられ、前記第１のアレイ光源の前記他端と前記第２のアレイ光源の前記一端とが対向して前記画像読み取り装置に取り付けられており、前記第１のアレイ光源の前記一端から前記他端にかけて前記第１のアレイ光源の前記１番目のブロックから前記Ｎ番目のブロックが順番に並んでおり、前記第２のアレイ光源の前記他端から前記一端にかけて前記第２のアレイ光源の前記１番目のブロックから前記Ｎ番目のブロックが順番に並んでいることを特徴とする画像読み取り装置。
【請求項２】
読み取り位置において原稿又は基準部材のいずれかを読み取る読み取り手段と、
前記読み取り位置に向けて光を照射する複数の発光素子が１番目からＮ番目（Ｎは２以上の自然数）までの複数のブロックに分かれて配置された第１のアレイ光源と、
前記第１のアレイ光源に対向して設けられ、かつ、前記読み取り位置に向けて光を照射する複数の発光素子が１番目からＮ番目までの複数のブロックに分かれて配置された第２のアレイ光源であって、該第２のアレイ光源の該複数のブロックにおけるブロック間の境界が前記第１のアレイ光源における前記複数のブロックにおけるブロック間の境界に対してずれて配置された、第２のアレイ光源と
を含む画像読み取り装置の光量調整方法であって、
前記読み取り手段による前記基準部材についての複数の測定点のうち前記第１のアレイ光源に形成されたｉ番目（ｉは１からＮまでの自然数）のブロックに対応した測定点での前記読み取り手段による前記基準部材の読み取り結果が所定条件を満たすように該ｉ番目のブロックの光量を調整し、次に前記第１のアレイ光源に形成された該ｉ番目のブロックの光量が調整された後に該ｉ番目のブロックに対向して前記第２のアレイ光源に形成されているｊ番目（ｊは１からＮまでの自然数）のブロックに対応した測定点での前記読み取り手段による前記基準部材の読み取り結果が前記所定条件を満たすように該ｊ番目のブロックの光量を調整する光量調整を、前記第１のアレイ光源の前記複数のブロックと前記第２のアレイ光源の前記複数のブロックとにおいて未調整のブロックが無くなるまで、ｉとｊを１つずつ交互に変化させながら繰り返し実行し、
前記第１のアレイ光源と前記第２のアレイ光源とはそれぞれ長さ方向において一端から他端まである同一の部品であり、前記第１のアレイ光源の前記一端と前記第２のアレイ光源の前記他端とが対向して前記画像読み取り装置に取り付けられ、前記第１のアレイ光源の前記他端と前記第２のアレイ光源の前記一端とが対向して前記画像読み取り装置に取り付けられており、前記第１のアレイ光源の前記一端から前記他端にかけて前記第１のアレイ光源の前記１番目のブロックから前記Ｎ番目のブロックが順番に並んでおり、前記第２のアレイ光源の前記他端から前記一端にかけて前記第２のアレイ光源の前記１番目のブロックから前記Ｎ番目のブロックが順番に並んでいることを特徴とする光量調整方法。
【発明の詳細な説明】
【技術分野】
【０００１】
本発明は、原稿に記録された画像情報を読み取る画像読み取り装置及びその光量調整方法に関する。
【背景技術】
【０００２】
従来、画像読み取り装置の光源としては、蛍光灯やキセノン管といった光源が用いられてきた。しかし、これらの光源は、発熱が大きく、消費電力も大きく、ランプ外形も大きく重く、さらに高圧給電が必要となるといった課題があった。
【０００３】
近年、原稿のラインイメージを読み取るラインイメージセンサの感度が向上し、少ない光量で画像信号が取り出せるようになってきた。これによって、光量は少ないＬＥＤ（発光ダイオード）が光源として採用できるようになった。ＬＥＤには、発熱が小さく、消費電力が小さいといった利点がある。なお、光量を稼ぐために、複数のＬＥＤを備えた２灯のＬＥＤアレイ光源を対向するように配置することが一般的となっている。
【０００４】
しかし、ＬＥＤアレイ光源では主走査方向に複数のＬＥＤ素子が並べられているため、ＬＥＤ素子の製造ばらつきにより、主走査方向において原稿に照射する光量のばらつきが起こってしまう。この問題を解決すべく、ＬＥＤ素子毎に光量調整する方法が提案されている（特許文献１）。また、２灯のＬＥＤアレイ光源を独立で光量制御することで光量のばらつきを抑える方法も提案されている（特許文献２）。
【特許文献１】特開昭６０−２４７７５号公報
【特許文献２】特開２００５−１５１２６９号公報
【発明の開示】
【発明が解決しようとする課題】
【０００５】
特許文献１では、ＬＥＤ素子毎に光量を調整するため、ＬＥＤ素子の個数分の光量調整部が必要となる。これは、回路規模の増大と、コスト上昇を招くため好ましくない。特許文献２は、２灯のＬＥＤアレイ光源を独立で光量制御するため、各ＬＥＤアレイ光源の主走査方向に対しては一様な光量調整しかすることができない。すなわち、特許文献２の発明は、主走査位置ごとに光量を調整することができない。よって、特許文献２の発明では、ＬＥＤ素子の製造ばらつきやＬＥＤ素子の劣化に際して生じる主走査位置ごとの光量ばらつきを十分に軽減することが困難であった。なお、主走査位置毎の光量のばらつきは、主走査方向でＳ／Ｎがばらついた画像をもたらしてしまうため好ましくない。
【０００６】
そこで、本発明は、このような課題および他の課題のうち、少なくとも１つを解決することを目的とする。例えば、本発明は、コスト面において有利で、かつ、主走査方向の光量ばらつきを効果的に低減できるようにすることを目的とする。なお、他の課題については明細書の全体を通して理解できよう。
【課題を解決するための手段】
【０００７】
本発明の画像読み取り装置は、
読み取り位置において原稿又は基準部材のいずれかを読み取る読み取り手段と、
前記読み取り位置に向けて光を照射する複数の発光素子が１番目からＮ番目（Ｎは２以上の自然数）までの複数のブロックに分かれて配置された第１のアレイ光源と、
前記第１のアレイ光源に対向して設けられ、かつ、前記読み取り位置に向けて光を照射する複数の発光素子が１番目からＮ番目までの複数のブロックに分かれて配置された第２のアレイ光源であって、該第２のアレイ光源における該複数のブロックにおけるブロック間の境界が前記第１のアレイ光源における前記複数のブロックにおけるブロック間の境界に対してずれて配置された、第２のアレイ光源と、
前記読み取り手段による前記基準部材についての複数の測定点のうち前記第１のアレイ光源に形成されたｉ番目（ｉは１からＮまでの自然数）のブロックに対応した測定点での前記読み取り手段による前記基準部材の読み取り結果が所定条件を満たすように該ｉ番目のブロックの光量を調整し、次に前記第１のアレイ光源に形成された該ｉ番目のブロックの光量が調整された後に該ｉ番目のブロックに対向して前記第２のアレイ光源に形成されているｊ番目（ｊは１からＮまでの自然数）のブロックに対応した測定点での前記読み取り手段による前記基準部材の読み取り結果が前記所定条件を満たすように該ｊ番目のブロックの光量を調整する光量調整を、前記第１のアレイ光源の前記複数のブロックと前記第２のアレイ光源の前記複数のブロックとにおいて未調整のブロックが無くなるまで、ｉとｊを１つずつ交互に変化させながら繰り返し実行する光量調整手段と
を含み、
前記第１のアレイ光源と前記第２のアレイ光源とはそれぞれ長さ方向において一端から他端まである同一の部品であり、前記第１のアレイ光源の前記一端と前記第２のアレイ光源の前記他端とが対向して前記画像読み取り装置に取り付けられ、前記第１のアレイ光源の前記他端と前記第２のアレイ光源の前記一端とが対向して前記画像読み取り装置に取り付けられており、前記第１のアレイ光源の前記一端から前記他端にかけて前記第１のアレイ光源の前記１番目のブロックから前記Ｎ番目のブロックが順番に並んでおり、前記第２のアレイ光源の前記他端から前記一端にかけて前記第２のアレイ光源の前記１番目のブロックから前記Ｎ番目のブロックが順番に並んでいることを特徴とする。
【０００８】
本発明の光量調整方法は、
読み取り位置において原稿又は基準部材のいずれかを読み取る読み取り手段と、
前記読み取り位置に向けて光を照射する複数の発光素子が１番目からＮ番目（Ｎは２以上の自然数）までの複数のブロックに分かれて配置された第１のアレイ光源と、
前記第１のアレイ光源に対向して設けられ、かつ、前記読み取り位置に向けて光を照射する複数の発光素子が１番目からＮ番目までの複数のブロックに分かれて配置された第２のアレイ光源であって、該第２のアレイ光源の該複数のブロックにおけるブロック間の境界が前記第１のアレイ光源における前記複数のブロックにおけるブロック間の境界に対してずれて配置された、第２のアレイ光源と
を含む画像読み取り装置の光量調整方法であって、
前記読み取り手段による前記基準部材についての複数の測定点のうち前記第１のアレイ光源に形成されたｉ番目（ｉは１からＮまでの自然数）のブロックに対応した測定点での前記読み取り手段による前記基準部材の読み取り結果が所定条件を満たすように該ｉ番目のブロックの光量を調整し、次に前記第１のアレイ光源に形成された該ｉ番目のブロックの光量が調整された後に該ｉ番目のブロックに対向して前記第２のアレイ光源に形成されているｊ番目（ｊは１からＮまでの自然数）のブロックに対応した測定点での前記読み取り手段による前記基準部材の読み取り結果が前記所定条件を満たすように該ｊ番目のブロックの光量を調整する光量調整を、前記第１のアレイ光源の前記複数のブロックと前記第２のアレイ光源の前記複数のブロックとにおいて未調整のブロックが無くなるまで、ｉとｊを１つずつ交互に変化させながら繰り返し実行し、
前記第１のアレイ光源と前記第２のアレイ光源とはそれぞれ長さ方向において一端から他端まである同一の部品であり、前記第１のアレイ光源の前記一端と前記第２のアレイ光源の前記他端とが対向して前記画像読み取り装置に取り付けられ、前記第１のアレイ光源の前記他端と前記第２のアレイ光源の前記一端とが対向して前記画像読み取り装置に取り付けられており、前記第１のアレイ光源の前記一端から前記他端にかけて前記第１のアレイ光源の前記１番目のブロックから前記Ｎ番目のブロックが順番に並んでおり、前記第２のアレイ光源の前記他端から前記一端にかけて前記第２のアレイ光源の前記１番目のブロックから前記Ｎ番目のブロックが順番に並んでいることを特徴とする。
【発明の効果】
【０００９】
本発明によれば、従来技術と比較し、コスト面において有利で、かつ、主走査方向の光量ばらつきを効果的に低減できるようになる。
【発明を実施するための最良の形態】
【００１０】
以下に本発明の一実施形態を示す。以下で説明される個別の実施形態は、本発明の上位概念、中位概念および下位概念など種々の概念を理解するために役立つであろう。また、本発明の技術的範囲は、特許請求の範囲によって確定されるのであって、以下の個別の実施形態によって限定されるわけではない。
【００１１】
図１Ａは、実施形態に係る画像読み取り装置の一例を示す概略断面図である。図１Ｂは、実施形態に係る画像読み取り装置の一例を示す平面図である。画像読み取り装置１００は、パーソナルコンピュータに接続されるスキャナ装置であってもよい、複写機に搭載されるイメージリーダであってもよい。
【００１２】
光電変換素子１０１は、ＣＣＤ（電荷結合素子）やＣ−ＭＯＳ（相補間型金属酸化膜半導体）などのラインセンサである。光電変換素子１０１は、第１及び第２のアレイ光源から出力された光のうち読み取り位置に配置された原稿又は基準色部材からの反射光を読み取る読み取り手段の一例である。光学ユニット１０２は、レンズなどの光学部品である。ＬＥＤアレイ１０３、１０４は、それぞれ複数の発光素子を配置してなる第１のアレイ光源及び第２のアレイ光源の一例である。原稿台ガラス１０５は、原稿を載置するためのガラスであり、プラテンガラスと呼ばれることもある。
【００１３】
ＬＥＤアレイ１０３、１０４は、原稿台ガラス１０５上にセットされた図示しない原稿に対して光を照射し、原稿からの反射光がミラー台ユニット１０６を介して光電変換素子１０１に受光される。光電変換素子１０１は、入射した光を光電変換することで、原稿の画像情報を表す電気信号を出力する。また、標準白色板１０７は、基準部材の一例であり、シェーディング補正のための基準データを読み取る際に使用される。
【００１４】
ＬＥＤアレイ１０３、１０４がＬＥＤアレイユニット１０８に設置されている。ＬＥＤアレイユニット１０８は、ミラー台ユニット１０６とともにワイヤ（図示せず）によって駆動モータ（図示せず）と結合されている。よって、ＬＥＤアレイユニット１０８とミラー台ユニット１０６は、駆動モータの回転駆動に応じて、原稿台ガラス１０５に対して平行に移動する。よって、ライン状の読み取り位置が原稿に対して相対的に移動することになる。
【００１５】
図２は、実施形態に係る光量調整部の一例を示す図である。ＬＥＤアレイ１０３、１０４のそれぞれは、複数のＬＥＤ素子２０１を備えている。この例でのＬＥＤ素子２０１の数は、２１個である。図中の破線は、発光素子のブロックａ〜ｄを示している。ブロックに所属する複数のＬＥＤ素子２０１は、複数個のＬＥＤ素子２０１が直列に配置されているため、同一の電流制御回路２０２によって同時に光量（駆動電流）を調整される。そのため、本実施形態では、電流制御回路２０２の個数は、ブロックの個数と一致している。電流制御回路２０２は、基準部材からの反射光の受光光量に応じてブロックごとに順番に光量調整を実行する光量調整手段の一例である。
【００１６】
例えば、電流制御回路２０２は、制御電圧で抵抗値が変化する可変抵抗器でもよいし、ＰＷＭ（パルス幅変調）制御方式を用いて単位時間当たりに流れる電流量を制御するような素子であってもよい。電流制御回路２０２がＬＥＤ素子２０１に流れる電流を調整することで、ＬＥＤ素子２０１の光量が調整される。
【００１７】
なお、図２において、ブロックｄの発光素子の個数が、他のブロックＡ〜Ｃの個数と比較して少ない。これは、各ブロックの配置を互い違い（例：全体として千鳥格子状の配置）にするためである。後述するように、各ブロックの配置を互い違いすることで、光量調整を効率よく行うことが可能となる。
【００１８】
図３は、実施形態に係るＬＥＤアレイユニットの一例を示す平面図である。ＬＥＤアレイ１０３は、それぞれ物理的に複数のブロック１−ａ〜１−ｄに分割されている。同様に、ＬＥＤアレイ１０４も、それぞれ物理的に複数のブロック２−ａ〜２−ｄに分割されている。なお、添え字のａ〜ｄは、図２において示したブロックａ〜ｄに対応している。よって、ＬＥＤアレイ１０３には、一端から他端にかけて第１ブロックから第Ｎブロックが配置されている。ＬＥＤアレイ１０４には、他端から一端にかけて第１ブロックから第Ｎブロックが配置されている。この例では、Ｎ＝４である。なお、光電変換素子１０１は、光量調整の際に２Ｎ−１個の各測定点において反射光を受光する。２Ｎ−１個の測定点において受光した反射光に応じて各アレイ光源の光量調整が実行される。
【００１９】
図３からわかるように、ＬＥＤアレイ１０３、１０４は、画像読み取り位置を挟むようにして対向している。なお、画像読み取り位置は、光電変換素子１０１により読み取られることになるラインイメージに対応した位置である。画像読み取り位置は、全体としてライン状となっているため、画像読み取りラインと称してもよい。
【００２０】
ＬＥＤアレイ１０３、１０４は、製造上、同一の部品を採用できれば、同一の部品の大量生産によるコストダウンの効果が得られる。同一部品であっても、取り付け方向が相互に反対となるように取り付けるだけで、各ブロックは、全体として、幾何学的に対称（点対称）の配置となる。図３によれば、その一例として、各ブロックが互い違いに配置されている。とりわけ、図３によれば、各ブロックが全体として千鳥格子状に配置されている。しかし、これは、互い違い配置の一例であり、他の互い違い配置が採用されてもよい。
【００２１】
図４は、実施形態に係る制御部の一例を示すブロック図である。ＣＰＵ４０１は、複数の電流制御回路２０２、モータ制御部４０２、画像処理部４０３などを統括的に制御する制御ユニットである。なお、ＣＰＵ４０１のみ、又は、ＣＰＵ４０１及び複数の電流制御回路２０２を光量調整手段と考えてもよい。モータ制御部４０２は、ＬＥＤアレイユニット１０８やミラー台ユニット１０６を移動させるための駆動モータを制御する制御ユニットである。画像処理部４０３は、光電変換素子１０１から出力された電気信号を処理して画像データを生成するユニットである。なお、光量調整時の受光光量のデータは、画像処理部４０３を介してＣＰＵ４０１に渡される。
【００２２】
図５は、実施形態に係る光量制御の一例を示すフローチャートである。ステップＳ５００で、ＣＰＵ４０１は、制御に必要とする変数を初期化する。例えば、ＣＰＵ４０１は、各測定点を区別するための変数であるＭに１を代入する。ステップＳ５０１で、ＣＰＵ４０１は、モータ制御部４０２を介して駆動モータ（図示せず）を駆動させ、ＬＥＤアレイユニット１０８が標準白色板１０７の直下となるようにＬＥＤアレイユニット１０８及びミラー台ユニット１０６を移動させる。
【００２３】
ステップＳ５０２で、ＣＰＵ４０１は、電流制御回路２０２を介してすべてのＬＥＤ素子を点灯させ、各ブロック（１−ａ〜１−ｄ及び２−ａ〜２−ｄ）のＬＥＤ素子２０１を初期光量に設定する。すなわち、電流制御回路２０２は、予め設定された初期駆動電流を各ＬＥＤ素子２０１に通電する。なお、ブロックごとに初期駆動電流は異なってもよい。
【００２４】
ステップＳ５０３で、ＣＰＵ４０１は、すべてのＬＥＤ素子が点灯したままの状態で、Ｍ番目の測定点について光量の測定を実行する。測定点の個数は、２Ｎ−１個である（Ｎは１つのＬＥＤアレイにおけるブロックの総数）。つまり、Ｍは、１≦Ｍ≦２Ｎ−１を満たす整数である。図３によれば、ＬＥＤアレイ１０３及び１０４とも、ブロックの総数が４個であるため、測定点の個数は７個である。Ｍの初期値は１であり、最初の測定点は、図３に示された測定点Ａである。
【００２５】
ステップＳ５０４で、ＣＰＵ４０１は、Ｍ番目の測定点における測定値が目標光量の下限値未満であるか否かを判定する。下限値未満であれば、ステップＳ５０５に進む。ステップＳ５０５で、ＣＰＵ４０１は、電流制御回路２０２を介して、Ｍ番目の測定点に対応するブロックの光量を増加させる。その後、ステップ５０３に戻る。
【００２６】
なお、図３に示したブロックの配置例において、測定点とブロックの対応関係は次の通りである。
【００２７】
測定点Ａ：ブロック１−ａ及びブロック２−ｄ
測定点Ｂ：ブロック２−ｃ
測定点Ｃ：ブロック１−ｂ
測定点Ｄ：ブロック２−ｂ
測定点Ｅ：ブロック１−ｃ
測定点Ｆ：ブロック２−ａ
測定点Ｇ：ブロック１−ｄ
なお、図３からわかるように、第２ないし第２Ｎ−１個までの各測定点における光量調整対象となるブロックは、各測定点に対して最短距離に位置するいずれか１つのブロックである。これは、その測定点に対して最も影響力のあるブロックは、その測定点に対して最短距離に位置しているブロックだからである。
【００２８】
また、本実施形態で、ＣＰＵ４０１は、ＬＥＤアレイ１０３において一端に位置する第１ブロックから他端に位置する第Ｎブロックまで順番に光量調整し、ＬＥＤアレイ１０４において一端に位置する第Ｎブロックから他端に位置する第１ブロックまで順番に光量調整する。このように順番に光量調整を行うことで、各主走査位置での光量が均一に調整しやすくなる。
【００２９】
一方、ステップＳ５０４で、下限値未満でなければ、ステップＳ５０６に進む。ステップＳ５０６で、ＣＰＵ４０１は、Ｍ番目の測定点における測定値が目標光量の上限値をオーバーしているか否かを判定する。このように、目標光量は、１つの値ではなく、ある範囲を持った値であってもよい。上限値をオーバーしていれば、ステップＳ５０７に進む。ステップＳ５０７で、ＣＰＵ４０１は、電流制御回路２０２を介して、Ｍ番目の測定点に対応するブロックの光量を減少する。その後、ステップＳ５０３に戻る。
【００３０】
一方、上限値をオーバーしていなければ、該当ブロックの光量が目標光量に到達したことになるので、ステップＳ５０８に進む。ステップＳ５０８で、ＣＰＵ４０１は、各ＬＥＤアレイにおけるすべてのブロック（１〜Ｎ）について光量調整が終了したか否かを判定する。なお、ＣＰＵ４０１は、すべての測定点（１〜２Ｎ−１）について光量調整が終了したか否かを判定してもよい。すべてのブロック（１〜Ｎ）について光量調整が終了していなければ、次の測定点に対応するブロックを光量調整するために、Ｍの値を１つインクリメントし、ステップＳ５０３に戻る。すなわち、このような光量調整工程を、未調整のブロックが無くなるまで、繰り返し実行する。一方、すべてのブロック（１〜Ｎ）について光量調整が終了していれば、本フローチャートに係る処理を終了する。
【００３１】
本実施形態によれば、ＬＥＤアレイ１０３、１０４は読み取り位置を挟むようにして対向しており、複数のＬＥＤ素子２０１は複数あるブロックのうちのいずれか１つに属している。とりわけ、ＬＥＤアレイ１０３の各ブロックは、ＬＥＤアレイ１０４の各ブロックに対して互い違いに配置されている。そして、ＣＰＵ４０１は、基準部材からの反射光の受光光量に応じてブロックごとに順番に光量調整を実行する。より具体的に、ＣＰＵ４０１は、基準部材の読み取り結果に応じて第１のアレイ光源に形成された１つのブロックの光量を調整する。次に、第１のアレイ光源に形成された１つのブロックの光量が調整された後に基準部材を読み取ることで得られた読み取り結果に応じて、ＣＰＵ４０１は、当該１つのブロックに対向して第２のアレイ光源に形成されている１つのブロックの光量を調整する。さらに、第２のアレイ光源に形成された１つのブロックの光量が調整された後に基準部材を読み取ることで得られた読み取り結果に応じて、ＣＰＵ４０１は、当該１つのブロックに対向して第１のアレイ光源に形成されている他の１つのブロックの光量を調整する。このように、第１のアレイ光源のブロックの光量調整と第２のアレイ光源のブロックの光量調整とが交互に実行される。ＣＰＵ４０１は、このような光量調整工程を、未調整のブロックが無くなるまで、繰り返し実行する。
【００３２】
本実施形態によれば、発光素子を複数個毎に独立して光量調整することで主走査方向の光量ばらつきが低減する。その結果、主走査方向の読み取りレベルが均一化され、より良い画質の画像が得られる。さらに、発光素子を複数個毎にグループ化して光量調整するため、光量調整部としての電流制御回路２０２の個数を抑えることができる。これにより、安価でかつ効果的な光量調整が可能となる。
【００３３】
とりわけ、互い違いに配置の一例は、上述したように千鳥格子状の配置である。これは、測定点ごとに順番に光量調整を行う上で好ましいだけでなく、コストの面でも有利である。例えば、ＬＥＤアレイ１０３、１０４に同一の部品を採用した場合、取り付け方向が相互に反対となるように取り付けるだけで、互い違い配置を実現できるため、有利である。
【図面の簡単な説明】
【００３４】
【図１Ａ】実施形態に係る画像読み取り装置の一例を示す概略断面図である。
【図１Ｂ】実施形態に係る画像読み取り装置の一例を示す平面図である。
【図２】実施形態に係るＬＥＤ素子を光量調整部の一例を示す図である。
【図３】実施形態に係るＬＥＤアレイユニットの一例を示す平面図である。
【図４】実施形態に係る制御部の一例を示すブロック図である。
【図５】実施形態に係る光量制御の一例を示すフローチャートである。
【符号の説明】
【００３５】
１００  画像読み取り装置
１０１  光電変換素子
１０２  光学ユニット
１０３  ＬＥＤアレイ
１０４  ＬＥＤアレイ
１０５  原稿台ガラス
１０６  ミラー台ユニット
１０７  標準白色板
１０８  ＬＥＤアレイユニット
２０１  ＬＥＤ素子
２０２  電流制御回路
４０１  ＣＰＵ
４０２  モータ制御部
４０３  画像処理部
【図１Ａ】
0005096889.tif 000002
【図１Ｂ】
0005096889.tif 000003
【図２】
0005096889.tif 000004
【図３】
0005096889.tif 000005
【図４】
0005096889.tif 000006
【図５】
0005096889.tif 000007